(57)【要約】【課題】鼻緒に対して強い負荷がかかっても、鼻緒の外れを招来することがなく、また型崩れを生じ難く、型崩れをした場合であっても即座に元の形状に直すことができる、優れた履物の鼻緒部分の形状保持構造の提供を課題とする。【解決手段】履物の基体上面前方位置に鼻緒を固着してなる履物の鼻緒の形状保持構造において、該鼻緒の結合端は、合成樹脂製の形状保持材料からなる薄板を内蔵したことを特徴とする履物の鼻緒の形状保持構造を解決手段とする。【選択図】図２
0003136670.tif 000002
【実用新案登録請求の範囲】
【請求項１】
履物の基体上面前方位置に鼻緒を固着してなる履物の鼻緒の形状保持構造において、該鼻緒の結合端は、合成樹脂製の形状保持材料を有する薄板状保形具を内蔵したことを特徴とする履物の鼻緒の形状保持構造。
【請求項２】
薄板状保形具は、鼻緒の結合端と基体内に連続して設け、結合端における二本の鼻緒の先端を相対的に開いた状態として基体内で保持したことを特徴とする請求項１記載の履物の鼻緒の形状保持構造。
【請求項３】
請求項１又は２記載の鼻緒の形状保持構造を備えたことを特徴とする履物。
【考案の詳細な説明】
【技術分野】
【０００１】
本考案は、履物のうち、鼻緒を有するものについて、鼻緒の形状を保持し、且つ、鼻緒の不慮の離脱を防止する履物の形状保持構造、及び該鼻緒の形状保持構造を備えた履物に関する。
【背景技術】
【０００２】
履物には種々の形状を有するものがある。このうち、鼻緒を有する履物は以前より周知であり、多用されている。このような鼻緒を有する履物としては、例えば、履物台と鼻緒とからなる履物であって、前記鼻緒の一部を透明に透けた状態に構成してあることを特徴とする履物（例えば、特許文献１参照。）が公知である。
【０００３】
【特許文献１】登録実用新案第３０２６９５６号公報
【考案の開示】
【考案が解決しようとする課題】
【０００４】
上記鼻緒を有する履物は、輸送時等において他物から圧迫を受ける等の原因によって、鼻緒の型崩れを生じやすい欠点がある。特に、着用者の足の親指と人差し指との間に位置する二本の帯状の鼻緒の結合端（以下、本考案において「結合端」という。）が型崩れすると、鼻緒全体の均整が崩れ、非常に見栄えが悪くなり、履物を履く際にも鼻緒全体が崩れた状態となることで足の指が鼻緒内に入り難くなり、非常に履き辛くなる。
【０００５】
また、上記履物の鼻緒は、繰り返し使用することによって消耗しやすく、履物の足裏当接面から鼻緒が外れることがある。特に、上記履物の鼻緒を女性用の履物（例えば、ミュール等）に適用しようとすると、該女性用の履物は踵を高く形成してあるため、着用者は前方に体重がかかり易く、鼻緒への負担も大きくなり、足裏当接面から鼻緒が外れる危険性は更に高まる。
【０００６】
更に特許文献１のように、鼻緒の結合端を補強するために結合端全体を被覆すると、着用時に足の親指と人差し指の間が窮屈となり、該親指と人差し指の間に擦過傷を生じることとなる。
【０００７】
本考案は、上記不具合に鑑みてなされたものであり、鼻緒に対して強い負荷がかかっても、型崩れを生じ難く、型崩れをした場合であっても即座に元の形状に直すことができ、更には鼻緒の外れを生じ難く、また着用時には足の指間に擦過傷を生じ難い優れた履物の鼻緒部分の形状保持構造を提供することを、考案が解決しようとする課題とする。
【課題を解決するための手段】
【０００８】
履物の基体上面前方位置に鼻緒を固着してなる履物の鼻緒の形状保持構造において、該鼻緒の結合端は、合成樹脂製の形状保持材料を有する薄板状保形具を内蔵したことを特徴とする履物の鼻緒の形状保持構造を、課題を解決するための手段とするものである。
【０００９】
また、本考案は、上記履物の鼻緒の形状保持構造において、更に、薄板状保形具は鼻緒の結合端と基体内に連続して設け、結合端における二本の鼻緒の先端を相対的に開いた状態として基体内で保持したことを特徴とする履物の鼻緒の形状保持構造を、課題を解決するための手段とする。
【考案の効果】
【００１０】
本考案によれば、履物の基体上面前方位置に鼻緒を固着してなる履物の鼻緒の形状保持構造において、該鼻緒の結合端は、合成樹脂製の形状保持材料を有する薄板状保形具を内蔵したことで、該合成樹脂製の形状包持材料を有する薄板状保形具の特質、即ち、形状の変更が容易であり、且つ変形後の形状を保ち、繰り返しの曲げ操作によっても亀裂を生じない特性を備える特質によって、鼻緒は所定の形状を保ち、外力で変形した際には容易に元通りに復元でき、亀裂なども生じないから鼻緒の型崩れを防止することもできる。
【００１１】
また請求項２に係る考案によれば、薄板状保形具は、鼻緒の結合端と基体内に連続して設け、結合端における二本の鼻緒の先端を相対的に開いた状態として基体内で保持したことから、結合端の厚みに大きな影響を与えず、着用時に親指と人差し指の間に擦過傷を生ずる危険性を大きく低下させることができる。また、結合端での上方や前方への引張りや捻りに対して内蔵する薄板状保形具が相対的に開いた状態で基体に保持されることで十分な強度を確保することができる。
【００１２】
そして、上記構成を備えた請求項３に係る考案は、上記請求項１に係る考案の構成を備えたことで、形状の変更が容易であり、且つ変形後の形状を保ち、繰り返しの曲げ操作によっても亀裂を生じない特性を備えることから、形状保持性に優れた履物を提供することができる。
【考案を実施するための最良の形態】
【００１３】
本考案は、履物１の基体上面前方位置に鼻緒１０を固着してなる履物１の鼻緒１０の形状保持構造において、該鼻緒１０は、合成樹脂製の形状保持材料を有する薄板状保形具１０１を内蔵したことから、履物１の鼻緒１０の形状保持（保形）構造を実現した。
【実施例】
【００１４】
本考案の実施例に係る履物１の鼻緒１０の形状保持構造、及び該形状包持構造を備えた履物１について、以下に説明する。図１は本考案の実施例に係る履物１を示す斜視図、図２は同実施例に係る履物１の鼻緒１０に内蔵する合成樹脂製の形状保持材料を有する薄板状保形具１０１を示すＡ−Ａ拡大断面図、図３は同実施例に係る履物１の鼻緒１０に内蔵する合成樹脂製の形状保持材料を有する薄板状保形具１０１を示す拡大斜視図、図４は同実施例に係る履物１の鼻緒１０の形状保持構造を示す拡大斜視図である。
【００１５】
本考案の実施例に係る履物１の鼻緒１０の形状保持構造は、図１及び図２に示すように、女性用の履物１の基体の上面前方位置に対して、二本の帯状の鼻緒１０を取着した構成である。基体は基体中底１１と基体下底１２とを積層した構成を有する。
【００１６】
一般的な鼻緒１０と同様に、二本の帯状の鼻緒１０の結合端は、着用者の足の親指と人差し指との間に位置するように取着してある。二本の帯状の鼻緒１０の夫々の他端は履物１の基体の側面側から基体中底１１と基体下底の間に挿入固着している。
【００１７】
そして、各鼻緒１０は夫々、二本の帯状の鼻緒形成生地１００ａ、１００ｂと、該鼻緒形成生地１００ａ、１００ｂよりも細幅の合成樹脂製の形状保持材料を有する薄板状保形具と、該薄板状保形具の片面に設けた接着層１０２とからなる。
【００１８】
鼻緒１０に内蔵される薄板状保形具は、鼻緒１０が十分に立ち上がるだけの寸法を確保した長さを有する。本実施例に係る薄板状保形具は、ポリエチレンを一軸方向に高倍率延伸して分子配列した形状保持材料を用いており、具体的には、積水化学工業株式会社製の合成樹脂製形状保持材料であるフォルテ（登録商標）を用いている。形状保持材料は、基材層と、接着層１０２と剥離紙１０３を積層した構成であり、剥離紙１０３を剥がした状態で使用する。
【００１９】
前記した帯状の鼻緒形成生地１００ａ、１００ｂのうち外側に配置する鼻緒形成生地１００ａは、内側に配置する鼻緒形成生地１００ｂよりも幅広に形成してある。外側の（幅広の）鼻緒形成生地１００ａの長手中央に、剥離紙１０３を剥がした薄板状保形具１０１を接着層１０２を上向きとして載置し、該外側の鼻緒形成生地１００ａの左右縁１００ｃを折り返して薄板状保形具１０１の左右縁と当接し、内側の鼻緒形成生地１００ｂを接着層１０２に対して載置し、外側の鼻緒形成生地１００ａと内側の鼻緒形成生地１００ｂの相互の左右縁近傍を縫着することで、薄板状保形具１０１を前記二本の帯状の鼻緒形成生地１００ａ、１００ｂで挟み、一体としたものである。
【００２０】
二本の鼻緒１０の結合端には、図３に示すように、薄板状保形具が内蔵されている。結合端における夫々の鼻緒１０を当接した状態で、基体中底１１を貫通して夫々の鼻緒１０の先端が相対的に開いた状態とし、鼻緒を内蔵する薄板状保形具ごと折り曲げ、基体中底１１と基体下底１２で挟持して固着した構成としている。当該形状とすることにより、結合端での上方や前方への引張りや捻りに対して内蔵する薄板状保形具が相対的に開いた状態で基体（即ち、本実施例では基体中底１１及び基体下底１２）に保持されることで十分な強度を確保する。また、基体内から連続して上方に位置する薄板状保形具によって、外力に対する鼻緒１０の保形が可能となる。更に、薄板状保形具の性質によって、万一、型崩れをした場合であっても即座に元の形状に直すことができる。
【００２１】
本考案の実施例においては、薄板状保形具１０１に接着層１０２を設けたが、接着層１０２は必須のものではなく、接着層１０２を設けずに薄板状保形具１０１を二本の鼻緒形成生地１００ａ、１００ｂで被覆する構成とすることもできる。また、一方で、薄板状保形具１０１の両面に接着層１０２を設けることもできる。薄板状保形具１０１に接着層１０２を用いることで、製造時の薄板状保形具１０１の位置決めを容易に行うことができる利点がある。
【００２２】
また本考案の実施例においては、一軸方向に高倍率延伸して分子配列した形状保持材料としてポリエチレンを用いているが、他のポリオレフィン、例えばポリスチレンなどを利用することができる。
【００２３】
また、本考案において、基体中底１１及び基体下底１２は、一般的な靴底の構成における部材を指し、基体中底１１及び基体下底１２を複数に分けたり、基体中底１１及び基体下底１２の間等に他の層を適宜形成させた状態で、これらのいずれか二層間に薄板状保形具１０１が保持できればよい趣旨である。
【００２４】
また、鼻緒１０の構造は上記実施例に限るものではなく、例えば、外側と内側の二本の鼻緒形成生地１００ａ、１００ｂの幅寸法を同じ寸法として、外側の鼻緒形成生地１００ａの左右縁１００ｃを折り返さずに薄板状保形具１０１を被覆する構成とすることもできる。
【図面の簡単な説明】
【００２５】
【図１】本考案の実施例に係る履物１を示す斜視図である。
【図２】本考案の実施例に係る履物１の鼻緒１０に内蔵する合成樹脂製の形状保持材料を有する薄板状保形具１０１を示すＡ−Ａ拡大断面図である。
【図３】本考案の実施例に係る履物１の鼻緒１０に内蔵する合成樹脂製の形状保持材料を有する薄板状保形具１０１を示す拡大斜視図である。
【図４】本考案の実施例に係る履物１の鼻緒１０の形状保持構造を示す拡大斜視図である。
【符号の説明】
【００２６】
１          履物
１０        鼻緒
１００ａ    鼻緒形成生地（外側）
１００ｂ    鼻緒形成生地（内側）
１００ｃ    左右縁
１０１      薄板状保形具
１０２      接着層
１０３      剥離紙
１１        基体中底
１２        基体下底
【図１】
0003136670.tif 000003
【図２】
0003136670.tif 000004
【図３】
0003136670.tif 000005
【図４】
0003136670.tif 000006
【手続補正書】
【提出日】平成19年2月6日(2007.2.6)
【手続補正１】
【補正対象書類名】明細書
【補正対象項目名】全文
【補正方法】変更
【補正の内容】
【考案の詳細な説明】
【技術分野】
【０００１】
本考案は、履物のうち、鼻緒を有するものについて、鼻緒の形状を保持し、且つ、鼻緒の不慮の離脱を防止する履物の形状保持構造、及び該鼻緒の形状保持構造を備えた履物に関する。
【背景技術】
【０００２】
履物には種々の形状を有するものがある。このうち、鼻緒を有する履物は以前より周知であり、多用されている。このような鼻緒を有する履物としては、例えば、履物台と鼻緒とからなる履物であって、前記鼻緒の一部を透明に透けた状態に構成してあることを特徴とする履物（例えば、特許文献１参照。）が公知である。
【０００３】
【特許文献１】登録実用新案第３０２６９５６号公報
【考案の開示】
【考案が解決しようとする課題】
【０００４】
上記鼻緒を有する履物は、輸送時等において他物から圧迫を受ける等の原因によって、鼻緒の型崩れを生じやすい欠点がある。特に、着用者の足の親指と人差し指との間に位置する二本の帯状の鼻緒の結合端（以下、本考案において「結合端」という。）が型崩れすると、鼻緒全体の均整が崩れ、非常に見栄えが悪くなり、履物を履く際にも鼻緒全体が崩れた状態となることで足の指が鼻緒内に入り難くなり、非常に履き辛くなる。
【０００５】
また、上記履物の鼻緒は、繰り返し使用することによって消耗しやすく、履物の足裏当接面から鼻緒が外れることがある。特に、上記履物の鼻緒を女性用の履物（例えば、ミュール等）に適用しようとすると、該女性用の履物は踵を高く形成してあるため、着用者は前方に体重がかかり易く、鼻緒への負担も大きくなり、足裏当接面から鼻緒が外れる危険性は更に高まる。
【０００６】
更に特許文献１のように、鼻緒の結合端を補強するために結合端全体を被覆すると、着用時に足の親指と人差し指の間が窮屈となり、該親指と人差し指の間に擦過傷を生じることとなる。
【０００７】
本考案は、上記不具合に鑑みてなされたものであり、鼻緒に対して強い負荷がかかっても、型崩れを生じ難く、型崩れをした場合であっても即座に元の形状に直すことができ、更には鼻緒の外れを生じ難く、また着用時には足の指間に擦過傷を生じ難い優れた履物の鼻緒部分の形状保持構造を提供することを、考案が解決しようとする課題とする。
【課題を解決するための手段】
【０００８】
履物の基体上面前方位置に鼻緒を固着してなる履物の鼻緒の形状保持構造において、該鼻緒の結合端は、合成樹脂製の形状保持材料を有する薄板状保形具を内蔵したことを特徴とする履物の鼻緒の形状保持構造を、課題を解決するための手段とするものである。
【０００９】
また、本考案は、上記履物の鼻緒の形状保持構造において、更に、薄板状保形具は鼻緒の結合端と基体内に連続して設け、結合端における二本の鼻緒の先端を相対的に開いた状態として基体内で保持したことを特徴とする履物の鼻緒の形状保持構造を、課題を解決するための手段とする。
【考案の効果】
【００１０】
本考案によれば、履物の基体上面前方位置に鼻緒を固着してなる履物の鼻緒の形状保持構造において、該鼻緒の結合端は、合成樹脂製の形状保持材料を有する薄板状保形具を内蔵したことで、該合成樹脂製の形状保持材料を有する薄板状保形具の特質、即ち、形状の変更が容易であり、且つ変形後の形状を保ち、繰り返しの曲げ操作によっても亀裂を生じない特性を備える特質によって、鼻緒は所定の形状を保ち、外力で変形した際には容易に元通りに復元でき、亀裂なども生じないから鼻緒の型崩れを防止することもできる。
【００１１】
また請求項２に係る考案によれば、薄板状保形具は、鼻緒の結合端と基体内に連続して設け、結合端における二本の鼻緒の先端を相対的に開いた状態として基体内で保持したことから、結合端の厚みに大きな影響を与えず、着用時に親指と人差し指の間に擦過傷を生ずる危険性を大きく低下させることができる。また、結合端での上方や前方への引張りや捻りに対して内蔵する薄板状保形具が相対的に開いた状態で基体に保持されることで十分な強度を確保することができる。
【００１２】
そして、上記構成を備えた請求項３に係る考案は、上記請求項１に係る考案の構成を備えたことで、形状の変更が容易であり、且つ変形後の形状を保ち、繰り返しの曲げ操作によっても亀裂を生じない特性を備えることから、形状保持性に優れた履物を提供することができる。
【考案を実施するための最良の形態】
【００１３】
本考案は、履物１の基体上面前方位置に鼻緒１０を固着してなる履物１の鼻緒１０の形状保持構造において、該鼻緒１０は、合成樹脂製の形状保持材料を有する薄板状保形具１０１を内蔵したことから、履物１の鼻緒１０の形状保持（保形）構造を実現した。
【実施例】
【００１４】
本考案の実施例に係る履物１の鼻緒１０の形状保持構造、及び該形状保持構造を備えた履物１について、以下に説明する。図１は本考案の実施例に係る履物１を示す斜視図、図２は同実施例に係る履物１の鼻緒１０に内蔵する合成樹脂製の形状保持材料を有する薄板状保形具１０１を示すＡ−Ａ拡大断面図、図３は同実施例に係る履物１の鼻緒１０に内蔵する合成樹脂製の形状保持材料を有する薄板状保形具１０１を示す拡大斜視図、図４は同実施例に係る履物１の鼻緒１０の形状保持構造を示す拡大斜視図である。
【００１５】
本考案の実施例に係る履物１の鼻緒１０の形状保持構造は、図１及び図２に示すように、女性用の履物１の基体の上面前方位置に対して、二本の帯状の鼻緒１０を取着した構成である。基体は基体中底１１と基体下底１２とを積層した構成を有する。
【００１６】
一般的な鼻緒１０と同様に、二本の帯状の鼻緒１０の結合端は、着用者の足の親指と人差し指との間に位置するように取着してある。二本の帯状の鼻緒１０の夫々の他端は履物１の基体の側面側から基体中底１１と基体下底の間に挿入固着している。
【００１７】
そして、各鼻緒１０は夫々、二本の帯状の鼻緒形成生地１００ａ、１００ｂと、該鼻緒形成生地１００ａ、１００ｂよりも細幅の合成樹脂製の形状保持材料を有する薄板状保形具と、該薄板状保形具の片面に設けた接着層１０２とからなる。
【００１８】
鼻緒１０に内蔵される薄板状保形具は、鼻緒１０が十分に立ち上がるだけの寸法を確保した長さを有する。本実施例に係る薄板状保形具は、ポリエチレンを一軸方向に高倍率延伸して分子配列した形状保持材料を用いており、具体的には、積水化学工業株式会社製の合成樹脂製形状保持材料であるフォルテ（登録商標）を用いている。形状保持材料は、基材層と、接着層１０２と剥離紙１０３を積層した構成であり、剥離紙１０３を剥がした状態で使用する。
【００１９】
前記した帯状の鼻緒形成生地１００ａ、１００ｂのうち外側に配置する鼻緒形成生地１００ａは、内側に配置する鼻緒形成生地１００ｂよりも幅広に形成してある。外側の（幅広の）鼻緒形成生地１００ａの長手中央に、剥離紙１０３を剥がした薄板状保形具１０１を接着層１０２を上向きとして載置し、該外側の鼻緒形成生地１００ａの左右縁１００ｃを折り返して薄板状保形具１０１の左右縁と当接し、内側の鼻緒形成生地１００ｂを接着層１０２に対して載置し、外側の鼻緒形成生地１００ａと内側の鼻緒形成生地１００ｂの相互の左右縁近傍を縫着することで、薄板状保形具１０１を前記二本の帯状の鼻緒形成生地１００ａ、１００ｂで挟み、一体としたものである。
【００２０】
二本の鼻緒１０の結合端には、図３に示すように、薄板状保形具が内蔵されている。結合端における夫々の鼻緒１０を当接した状態で、基体中底１１を貫通して夫々の鼻緒１０の先端が相対的に開いた状態とし、鼻緒を内蔵する薄板状保形具ごと折り曲げ、基体中底１１と基体下底１２で挟持して固着した構成としている。当該形状とすることにより、結合端での上方や前方への引張りや捻りに対して内蔵する薄板状保形具が相対的に開いた状態で基体（即ち、本実施例では基体中底１１及び基体下底１２）に保持されることで十分な強度を確保する。また、基体内から連続して上方に位置する薄板状保形具によって、外力に対する鼻緒１０の保形が可能となる。更に、薄板状保形具の性質によって、万一、型崩れをした場合であっても即座に元の形状に直すことができる。
【００２１】
本考案の実施例においては、薄板状保形具１０１に接着層１０２を設けたが、接着層１０２は必須のものではなく、接着層１０２を設けずに薄板状保形具１０１を二本の鼻緒形成生地１００ａ、１００ｂで被覆する構成とすることもできる。また、一方で、薄板状保形具１０１の両面に接着層１０２を設けることもできる。薄板状保形具１０１に接着層１０２を用いることで、製造時の薄板状保形具１０１の位置決めを容易に行うことができる利点がある。
【００２２】
また本考案の実施例においては、一軸方向に高倍率延伸して分子配列した形状保持材料としてポリエチレンを用いているが、他のポリオレフィン、例えばポリスチレンなどを利用することができる。
【００２３】
また、本考案において、基体中底１１及び基体下底１２は、一般的な靴底の構成における部材を指し、基体中底１１及び基体下底１２を複数に分けたり、基体中底１１及び基体下底１２の間等に他の層を適宜形成させた状態で、これらのいずれか二層間に薄板状保形具１０１が保持できればよい趣旨である。
【００２４】
また、鼻緒１０の構造は上記実施例に限るものではなく、例えば、外側と内側の二本の鼻緒形成生地１００ａ、１００ｂの幅寸法を同じ寸法として、外側の鼻緒形成生地１００ａの左右縁１００ｃを折り返さずに薄板状保形具１０１を被覆する構成とすることもできる。
【図面の簡単な説明】
【００２５】
【図１】本考案の実施例に係る履物１を示す斜視図である。
【図２】本考案の実施例に係る履物１の鼻緒１０に内蔵する合成樹脂製の形状保持材料を有する薄板状保形具１０１を示すＡ−Ａ拡大断面図である。
【図３】本考案の実施例に係る履物１の鼻緒１０に内蔵する合成樹脂製の形状保持材料を有する薄板状保形具１０１を示す拡大斜視図である。
【図４】本考案の実施例に係る履物１の鼻緒１０の形状保持構造を示す拡大斜視図である。
【符号の説明】
【００２６】
１          履物
１０        鼻緒
１００ａ    鼻緒形成生地（外側）
１００ｂ    鼻緒形成生地（内側）
１００ｃ    左右縁
１０１      薄板状保形具
１０２      接着層
１０３      剥離紙
１１        基体中底
１２        基体下底